(57)【要約】      （修正有）【課題】マネキン人形体と支柱との隙間を広くすることができ、効率よく被服の着せ替えが行えるマネキン支持装置を提供する。【解決手段】被服を展示するマネキン人形体１を取着する揺動取付部材２と、揺動取付部材２を枢着部４にて上下揺動可能に枢支して床面に立設される支持部材３と、を具備し、枢着部４がラチェット機構１０を備えている。ラチェット機構１０が分離連結自在であって、揺動取付部材２は、支持部材３に着脱自在に構成されている。【選択図】図１
2011004939.tif 000002
【特許請求の範囲】
【請求項１】
被服を展示するマネキン人形体（１）を取着する揺動取付部材（２）と、該揺動取付部材（２）を枢着部（４）にて上下揺動可能に枢支して床面に立設される支持部材（３）と、を具備し、
上記枢着部（４）がラチェット機構（１０）を備えていることを特徴とするマネキン支持装置。
【請求項２】
上記ラチェット機構（１０）が、分離連結自在であって、上記揺動取付部材（２）は、上記支持部材（３）に着脱自在に構成されている請求項１記載のマネキン支持装置。
【請求項３】
上記ラチェット機構（１０）は、リリース押圧部（１１）を有し、該リリース押圧部（１１）を押圧することにより、上記支持部材（３）から上記揺動取付部材（２）を引き抜いて離脱されるように構成されている請求項１記載のマネキン支持装置。
【発明の詳細な説明】
【技術分野】
【０００１】
本発明は、マネキン人形を支持するためのマネキン支持装置に関する。
【背景技術】
【０００２】
従来、マネキン人形に、スラックスやスカート等の被服を展示する際には、一旦、マネキン人形を支柱から取外して、被服を着用させた後、再び支柱に取り付ける作業を行っていた。しかし、このようにしてマネキン人形に被服を着せ替える作業は、非常に面倒な作業であった。
そこで、支柱からマネキン人形を取り外さずに、スラックス等の被服を着脱できるような支柱が提案されている（特許文献１参照）。
【先行技術文献】
【特許文献】
【０００３】
【特許文献１】特開２００３−２６５２８６号公報
【発明の概要】
【発明が解決しようとする課題】
【０００４】
しかし、従来の支柱に支持されたマネキン人形の下半身に、スラックス等の被服を着用させる際には、支柱とマネキン人形の狭い隙間に被服を通して着脱を行わなければならず、被服の着せ替えに手間がかかり不便であった。マネキン人形に多数種類の被服を着用させたい場合には、短時間での被服の着せ替えが不可能であり、着せ替え作業に多大な労力が費やされていた。
【０００５】
そこで、本発明は、効率よく被服の着せ替えが行えるマネキン支持装置を提供することを目的とする。
【課題を解決するための手段】
【０００６】
そこで、本発明に係るマネキン支持装置は、被服を展示するマネキン人形体を取着する揺動取付部材と、該揺動取付部材を枢着部にて上下揺動可能に枢支して床面に立設される支持部材と、を具備し、上記枢着部がラチェット機構を備えているものである。
【０００７】
また、上記ラチェット機構が、分離連結自在であって、上記揺動取付部材は、上記支持部材に着脱自在に構成されているものである。
【０００８】
また、上記ラチェット機構は、リリース押圧部を有し、該リリース押圧部を押圧することにより、上記支持部材から上記揺動取付部材を引き抜いて離脱されるように構成されているものである。
【発明の効果】
【０００９】
本発明のマネキン支持装置によれば、マネキン人形体と支柱との隙間を広くすることができ、その姿勢を確実に保持することができる。よって、マネキン人形体の下半身に容易に被服を着せ替えることができる。
【図面の簡単な説明】
【００１０】
【図１】本発明の実施の一形態を示した斜視図である。
【図２】マネキン支持装置の使用状態を示した斜視図である。
【図３】マネキン支持装置の使用状態を示した斜視図である。
【図４】マネキン支持装置の使用状態を示した要部側面図である。
【図５】マネキン支持装置の使用状態を示した要部側面図である。
【図６】枢着部を示した説明用分解図である。
【図７】係止状態を示す図６のＡ−Ａ断面図である。
【図８】係止解除状態を示す図６のＡ−Ａ断面図である。
【図９】一方の爪部が突出した状態を示す図６のＢ−Ｂ断面図である。
【図１０】他方の爪部が突出した状態を示す図６のＢ−Ｂ断面図である。
【図１１】マネキン支持装置の使用説明図である。
【発明を実施するための形態】
【００１１】
以下、実施の形態を示す図面に基づき本発明を詳説する。
図１に示すように、本発明のマネキン支持装置は、全身に被服を着用させて展示するマネキン人形体１の背面に装着固定される揺動取付部材２と、床面に自立して揺動取付部材２を枢支する支持部材３と、を具備している。
揺動取付部材２は、支持部材３との間に隙間７を形成し、枢着部４にて逆Ｕ字状に折り返して枢結されている。枢着部４は、揺動取付部材２を支持部材３に対して上下揺動可能とするラチェット機構１０を備えている。
【００１２】
図１〜図５に示すように、揺動取付部材２は、長尺の金属製板部材からなり、マネキン人形体１の背面に形成された凹設溝部５の内部に装着されている。揺動取付部材２は、突起部６を突設しており、凹設溝部５内の挿入孔５ａに突起部６を挿入している。また、揺動取付部材２には、固定用ボルト孔２ａが貫設され、凹設溝部５内の雌ネジ孔に、ボルト孔２ａを通過させたボルトを螺着して、揺動取付部材２をマネキン人形体１に着脱自在に固定している。
【００１３】
支持部材３は、床面に載置したベースＢ上に立設され、鉛直状の支柱Ｓに上下方向引出自在に支持部３ｂを嵌入している。支持部材３には、ボルト孔２ａと同軸の貫通孔３ａが貫設され、ボルト孔２ａのボルトをマネキン人形体１の雌ネジ孔に締結するための工具等を挿通可能としている。
枢着部４は、マネキン人形体１を支持部材３に対して角度調整可能として前後方向に傾斜させるラチェット機構１０を備えている。ラチェット機構１０は、支持部材３に対して一方向に揺動する揺動取付部材２が、逆方向に戻るのを抑制し、その揺動可能方向は反転自在としている。
【００１４】
図６は、枢着部４を示した分解図である。
枢着部４は、揺動取付部材２に着設された軸着部２０と、支持部材３に着設された枢支部３０と、ラチェット機能部材４０と、から成り、夫々を分離連結自在に枢結している。
【００１５】
詳しく説明すると、揺動取付部材２の軸着部２０には、円柱形状の揺動軸部２１が突設されている。揺動軸部２１には、内部に係止溝１７を備えた横断面矩形状の枢結軸受孔２２が貫設されている。
支持部材３の枢支部３０には、揺動軸部２１を挿入可能な円形の揺動軸受孔３１が形成されている。また、枢支部３０は、内周面をギア歯面３２ａとした抑制ギア軸受孔３２を、揺動軸受孔３１と連通状に形成している。
【００１６】
ラチェット機能部材４０は、枢結軸受孔２２に嵌入可能な枢結軸１２を突設している。枢結軸１２は、枢結軸受孔２２に対応する矩形状横断面を有する角柱状に形成されている。また、ラチェット機能部材４０は、押込可能かつ回転可能なリリース押圧部１１を備えている。ラチェット機能部材４０の胴体部４１は、抑制ギア軸受孔３２に挿入可能に形成されている。胴体部４１の外周面には、開口窓部４２が形成されている。開口窓部４２内には、ギア歯面３２ａと噛合可能な爪部１３，１４を有する反転くさび部材４３を揺動可能に枢着している。
なお、軸着部２０の揺動軸部２１及び枢結軸受孔２２、枢支部３０の揺動軸受孔３１及び抑制ギア軸受孔３２、ラチェット機能部材４０のリリース押圧部１１及び枢結軸１２及び胴体部４１は、全て同一の揺動軸心Ｌ０を中心として形成されている。
【００１７】
枢着部４は、揺動取付部材２の揺動軸部２１を、支持部材３の揺動軸受孔３１に、挿入し、かつ、ラチェット機能部材４０の枢結軸１２を、支持部材３の抑制ギア軸受孔３２に挿通させ、枢結軸受孔２２に嵌入し、揺動取付部材２を支持部材３に着脱自在に枢結している。
【００１８】
ラチェット機能部材４０について、さらに詳細に説明する。
図７に示すように、ラチェット機能部材４０は、リリース押圧部１１を有する駆動部材４４を内有し、円環状の蓋部材５０にて閉鎖されている。駆動部材４４は、大径円柱状の芯部４８から球逃がし凹部４６を備えた細径の係止ピン部４５を突設し、枢結軸１２内に挿入している。芯部４８は、浮動ボール１６を内有するボール保持部４９を凹設し、浮動ボール１６は、弾性バネ部材１６ａにより弾発付勢されボール保持部４９内に浮動自在として保持される。
駆動部材４４は、リリース押圧部１１を胴体部４１の外部に露出している。駆動部材４４は、弾発部材４７に弾発付勢され、外部から加わる揺動軸心Ｌ０方向の押圧力に対して、弾発力をもって反発している。また、駆動部材４４は、所定角度だけ揺動軸心Ｌ０廻りに回転可能としている。
【００１９】
枢結軸１２には、保持孔１２ａが貫設されており、係止球１５が外側に抜け出ることのないように保持孔１２ａ内に保持されている。係止球１５は、枢結軸１２内に係止ピン部４５が挿入されているため、その一部を保持孔１２ａ外に突出している。つまり、枢結軸１２が枢結軸受孔２２に嵌入された状態に於て、枢結軸１２の外周面から、係止球１５の一部が突出し、枢結軸受孔２２内の係止溝１７に係止して抜止めを行っている（係止状態）。
図８に示すように、駆動部材４４がリリース押圧部１１側から押圧されると、係止ピン部４５の球逃がし凹部４６に、係止球１５が潜入し、保持孔１２ａに埋没した状態となる。このようにして、ラチェット機能部材４０は、リリース押圧部１１を押圧することにより、係止球１５と係止溝１７の係止状態を解除して、枢結軸受孔２２が枢結軸１２から引き抜いて離脱されるように構成されている。
【００２０】
図９に示すように、反転くさび部材４３は、胴体部４１の外周面よりも曲率が大きく設定された半円弧乃至四半円弧状の湾曲板状に形成されている。反転くさび部材４３は、反転軸心Ｌ１廻りに揺動可能として一対の反転軸４３ａ，４３ａを胴体部４１に枢着している。反転くさび部材４３は、ギア歯面３２ａと噛合可能な２つの爪部１３，１４を備えている。浮動ボール１６は、反転くさび部材４３に当接し、弾性バネ部材１６ａの弾発力によって反転くさび部材４３を押圧している。反転くさび部材４３の一方の爪部１３に対応した位置に、浮動ボール１６が当接すると、反転くさび部材４３は、反転軸心Ｌ１廻りに揺動傾斜し、一方の爪部１３が胴体部４１の外周面から突出した状態となっている。他方の爪部１４は、開口窓部４２内に埋没している。図６の枢着部４に於て、ラチェット機能部材４０は、一方の爪部１３をギア歯面３２ａと噛合し、所定の方向へのみ揺動取付部材２を揺動させ、逆方向に戻るのを抑制している。
【００２１】
次に、図１０に示すように、駆動部材４４が揺動軸心Ｌ０廻りに回転し、浮動ボール１６が反転くさび部材４３の他方の爪部１４に対応した位置に当接すると、反転くさび部材４３が軸心Ｌ１廻りに揺動して、他方の爪部１４が胴体部４１の外周面から突出した状態となっている。胴体部４１の外周面から突出していた一方の爪部１３は、反転くさび部材４３の揺動により開口窓部４２内に埋没している。
【００２２】
このようにして、ラチェット機能部材４０は、一方の爪部１３又は他方の爪部１４の内のどちらか１つを、胴体部４１の外周面から突出させている。つまり、ラチェット機構１０は、リリース押圧部１１を操作して、駆動部材４４を回転させることにより、揺動取付部材２が支持部材３に対して揺動する方向を反転可能に構成しているものである。
【００２３】
上述した本発明のマネキン支持装置の使用方法（作用）について説明する。
図１に示すように、マネキン支持装置は、マネキン人形体１の背面側から凹設溝部５に取付けられて、マネキン人形体１を支持する。
【００２４】
揺動取付部材２は、マネキン人形体１に装着され、支持部材３に支持される。突起部６は、凹設溝部５の挿入孔５ａに挿入され、マネキン人形体１のがたつきを防止する。また、揺動取付部材２は、ボルト孔２ａにボルトを挿通して、支持部材３の貫通孔３ａを通した工具にて凹設溝部５内の雌ネジ孔に締結し、突起部６がマネキン人形体１から抜けないように固定する。
【００２５】
図２及び図３に示すように、マネキン人形体１は、被服を着用させ、支持部材３により自立可能に支持されて展示される。揺動取付部材２と支持部材３との間には、隙間７を有しているため、特にスラックスやスカート等の被服をマネキン人形体１の下半身に着用させる際に、マネキン支持装置が邪魔にならず着脱が可能である。
マネキン人形体１の被服を着せ替える際には、揺動取付部材２を揺動させて、マネキン人形体１を後傾させる。マネキン人形体１の足が、支持部材３のベースＢから離反し、隙間７が拡大するため、着せ替えのための作業スペースが大きくなる。
【００２６】
ここで、揺動取付部材２の揺動について説明する。
図４に於て、マネキン人形体１は、鉛直状に立った状態で支持され、揺動取付部材２は、枢着部４のラチェット機構１０の作用により、揺動を抑制され、支持部材３に支持されている。この際、枢着部４のラチェット機構１０は、揺動取付部材２が揺動するのを抑制する。
【００２７】
図５に示すように、リリース押圧部１１を回転させて、ラチェット機構１０の揺動抑制作用を反転させた後、揺動取付部材２を開方向Ｏに揺動させる。ラチェット機構１０は、揺動取付部材２が閉方向Ｃに揺動するのを抑制しつつ、複数段の所定角度にて角度調整可能に揺動取付部材２の姿勢を保持する。
よって、マネキン人形体１は、任意の傾斜角度にて姿勢を保持される。被服を着脱する作業者は、マネキン人形体１が安定姿勢で保持されているため、被服の着せ替えが容易である。
【００２８】
また、揺動取付部材２は、リリース押圧部１１を押圧し、枢結軸１２との係止状態を解除すると、支持部材３から引き抜いて離脱可能となる。つまり、マネキン人形体１は、凹設溝部５に揺動取付部材２を装着したまま、支持部材３から着脱自在である。
図１１に示すように、予め揺動取付部材２を装着し、被服を着用させた複数のマネキン人形体１…を用意しておくと、立設する支持部材３に、次々と交換して取着することが可能となる。
【００２９】
以上のように、本発明は、被服を展示するマネキン人形体１を取着する揺動取付部材２と、揺動取付部材２を枢着部４にて上下揺動可能に枢支して床面に立設される支持部材３と、を具備し、枢着部４がラチェット機構１０を備えているので、マネキン人形体１が隙間７を拡大した状態で支持部材３に支持され、マネキン人形体１に被服を着せ替え易い。また、マネキン人形体１が不意に揺れることなく安定した姿勢を保持できるため、被服を着脱する作業者は、着せ替えが容易である。
【００３０】
また、ラチェット機構１０が、分離連結自在であって、揺動取付部材２は、支持部材３に着脱自在に構成されているので、マネキン人形体１は、揺動取付部材２を装着したまま、支持部材３から離脱できる。よって、種々の被服を着用させた複数のマネキン人形体１、あるいは、形や寸法の相違するマネキン人形体１…を、支持部材３に次々と迅速かつ容易に交換して展示することができる。
【００３１】
また、ラチェット機構１０は、リリース押圧部１１を有し、リリース押圧部１１を押圧することにより、支持部材３から揺動取付部材２を引き抜いて離脱されるように構成されているので、マネキン人形体１は、揺動取付部材２を装着したまま、支持部材３から容易に離脱できる。よって、種々の被服を着用させた複数のマネキン人形体１、あるいは、形や寸法の相違するマネキン人形体１…を、支持部材３に次々と迅速かつ容易に交換して展示することができる。
【符号の説明】
【００３２】
１  マネキン人形体
２  揺動取付部材
３  支持部材
４  枢着部
１０  ラチェット機構
１１  リリース押圧部
【図１】
2011004939.tif 000003
【図２】
2011004939.tif 000004
【図３】
2011004939.tif 000005
【図４】
2011004939.tif 000006
【図５】
2011004939.tif 000007
【図６】
2011004939.tif 000008
【図７】
2011004939.tif 000009
【図８】
2011004939.tif 000010
【図９】
2011004939.tif 000011
【図１０】
2011004939.tif 000012
【図１１】
2011004939.tif 000013